【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
発泡剤の存在下で、
（Ａ）
（ｉ）  第一のポリエーテルポリオールと
（ｉｉ）メチレンジフェニルジイソシアネート
との反応生成物を含むイソシアネートプレポリマーを含むイソシアネート成分、及び
（Ｂ）
（ｉ）  第二級末端ヒドロキシル基を有する第二のポリエーテルポリオールと
（ｉｉ）第一級ヒドロキシル基を有するアミン開始触媒ポリエーテルポリオール
とを含むイソシアネート反応性組成物、
の反応生成物を含む、ポリウレタンフォーム物品。
【請求項２】
前記第一のポリエーテルポリオールが、約２００〜約９００ｇ／ｍｏｌの質量平均分子量を有する、請求項１に記載のポリウレタンフォーム物品。
【請求項３】
前記第一のポリエーテルポリオールが、約２〜約５のヒドロキシル官能価を有する、請求項１又は２に記載のポリウレタンフォーム物品。
【請求項４】
前記第一のポリエーテルポリオールが、前記第一のポリエーテルポリオール中に存在するエンドキャップの総数に対して、約９９％を超えるプロピレンオキシエンドキャップを含む、請求項１から３のいずれか一項に記載のポリウレタンフォーム物品。
【請求項５】
前記メチレンジフェニルジイソシアネートが、
前記メチレンジフェニルジイソシアネートの総質量に対して約４０質量％を超える２，４’‐異性体、
前記メチレンジフェニルジイソシアネートの総質量に対して約４０質量％を超える４，４’‐異性体、及び
前記メチレンジフェニルジイソシアネートの総質量に対して約１０質量％未満の２，２’‐異性体
を含む、請求項１から４のいずれか一項に記載のポリウレタンフォーム物品。
【請求項６】
前記第一のポリエーテルポリオールが、前記イソシアネートプレポリマー中に、前記イソシアネートプレポリマーの総質量に対して約２〜約２０質量％の量で存在し、前記メチレンジフェニルジイソシアネートが、前記イソシアネートプレポリマー中に、前記イソシアネートプレポリマーの総質量に対して約８０〜約９８質量％の量で存在する、請求項１から５のいずれか一項に記載のポリウレタンフォーム物品。
【請求項７】
前記イソシアネートプレポリマーが、前記イソシアネートプレポリマーの総質量に対して約１５〜約４０質量％のＮＣＯ含量を有する、請求項１から６のいずれか一項に記載のポリウレタンフォーム物品。
【請求項８】
前記第二のポリエーテルポリオールが、約４００〜約２，０００ｇ／ｍｏｌの質量平均分子量及び／又は約４〜約８のヒドロキシル官能価を有する、請求項１から７のいずれか一項に記載のポリウレタンフォーム物品。
【請求項９】
前記第二のポリエーテルポリオールが、前記イソシアネート反応性組成物中に、前記イソシアネート反応性組成物の総質量に対して約２０〜約９０質量％の量で存在する、請求項１から８のいずれか一項に記載のポリウレタンフォーム物品。
【請求項１０】
前記イソシアネート反応性組成物が、前記第二のポリエーテルポリオールとは異なる第二級末端ヒドロキシル基を有する第三のポリエーテルポリオールをさらに含む、請求項１から９のいずれか一項に記載のポリウレタンフォーム物品。
【請求項１１】
前記第三のポリエーテルポリオールが、約３００〜約１，５００ｇ／ｍｏｌの質量平均分子量、及び／又は約２〜約４のヒドロキシル官能価を有する、請求項１０に記載のポリウレタンフォーム物品。
【請求項１２】
前記第三のポリエーテルポリオールが、前記イソシアネート反応性組成物中に、前記イソシアネート反応性組成物の総質量に対して約２０〜約６０質量％の量で存在する、請求項１０又は１１に記載のポリウレタンフォーム物品。
【請求項１３】
前記アミン開始触媒ポリエーテルポリオールが、約２００〜約１，５００ｇ／ｍｏｌの質量平均分子量、及び／又は約２〜約６のヒドロキシル官能価を有する、請求項１から１２のいずれか一項に記載のポリウレタンフォーム物品。
【請求項１４】
前記アミン開始触媒ポリエーテルポリオールが、前記イソシアネート反応性組成物中に、前記イソシアネート反応性組成物の総質量に対して、約１０質量%未満の量で存在する、請求項１から１３のいずれか一項に記載のポリウレタンフォーム物品。
【請求項１５】
前記イソシアネート反応性組成物が、ヒドロキシ官能性である第一のアミンを含む蛍光増白剤をさらに含む、請求項１から１４のいずれか一項に記載のポリウレタンフォーム物品。
【請求項１６】
前記第一のアミンがジアミンである、請求項１５に記載のポリウレタンフォーム物品。
【請求項１７】
前記イソシアネート反応性組成物が、ピペリジンを含む第二のアミンを含むＵＶ安定剤をさらに含む、請求項１から１６のいずれか一項に記載のポリウレタンフォーム物品。
【請求項１８】
約４０〜約６０ｋｇ／ｍ３の密度を有する、請求項１から１７のいずれか一項に記載のポリウレタンフォーム物品。
【請求項１９】
請求項１から１８のいずれか一項に記載の前記ポリウレタンフォーム物品を含むコア、及び
前記ポリウレタンフォーム物品上に配置される繊維ガラス及びエポキシを含む積層体
を含む、複合物品。
【請求項２０】
請求項１から１９のいずれか一項に記載の前記複合物品を含むサーフボード。
【請求項２１】
以下の工程：
（Ａ）  第一のポリエーテルポリオールとメチレンジフェニルジイソシアネートを反応させてイソシアネートプレポリマーを形成する工程、及び
（Ｂ）  前記イソシアネートプレポリマーをイソシアネート反応性組成物と発泡剤の存在下で反応させてポリウレタンフォーム物品を形成する工程を含み、
前記イソシアネート反応性樹脂成分が、
（ｉ）  第二級末端ヒドロキシル基を有する第二のポリエーテルポリオール、及び
（ｉｉ）  第一級ヒドロキシル基を有するアミン開始触媒ポリエーテルポリオールを含む、ポリウレタンフォーム物品を作製する方法。
【請求項２２】
前記イソシアネートプレポリマーと前記イソシアネート反応性組成物とを反応させる前記工程が、前記イソシアネートプレポリマーと前記イソシアネート反応性組成物とを含む反応混合物を成形することとしてさらに定義される、請求項２１に記載の方法。
【請求項２３】
前記成形工程を、約１，０００ｐｓｉ〜約２，０００ｐｓｉの圧力及び／又は約２５〜約９５℃の温度で行う、請求項２２に記載の方法。
【請求項２４】
前記イソシアネート反応性樹脂成分及び前記イソシアネートプレポリマーを、約９０〜約１４０のイソシアネート指数で反応させる、請求項２１から２３のいずれか一項に記載の方法。
【請求項２５】
前記ポリウレタンフォーム物品上に繊維ガラス及びエポキシを含む積層体組成物を施与する工程をさらに含む、請求項２１から２４のいずれか一項に記載の方法。
【請求項２６】
上部に前記積層体組成物が配置された前記ポリウレタンフォーム物品を３５〜８５℃の温度で８時間以下にわたり加熱する工程をさらに含む、請求項２５に記載の方法。
【請求項２７】
サーフボードのためのポリウレタンフォーム物品の形成に使用するためのポリウレタン系であって、
（Ａ）  イソシアネート成分であって、
（ｉ）  第一のポリエーテルポリオールと
（ｉｉ）  メチレンジフェニルジイソシアネートであって、
前記メチレンジフェニルジイソシアネートの総質量に対して約４０質量％を超える２，４’‐異性体；
前記メチレンジフェニルジイソシアネートの総質量に対して約４０質量％を超える４，４’‐異性体；及び
前記メチレンジフェニルジイソシアネートの総質量に対して約１０質量％未満の２，２’‐異性体
を含む、メチレンジフェニルジイソシアネート
との反応生成物を含むイソシアネートプレポリマーを含む、イソシアネート成分、及び
（Ｂ）  イソシアネート反応性組成物であって、
（ｉ）  第二級末端ヒドロキシル基及び約５〜約７のヒドロキシル官能性を有する第二のポリエーテルポリオール、
（ｉｉ）  第二級末端ヒドロキシル基及び約２〜約４のヒドロキシル官能性を有する第三のポリエーテルポリオール、
（ｉｉｉ）  第一級ヒドロキシル基を有し、前記イソシアネート反応性組成物中に、前記イソシアネート反応性組成物の総質量に対して約１０質量％未満の量で存在する、アミン開始触媒ポリエーテルポリオールを含む、イソシアネート反応性組成物を含む、ポリウレタン系。